(57)【要約】【課題】ドクターブレードの交換が容易でセンサー検出による高精度の左右バランス調整が行えるようにする。【解決手段】ホルダー本体１０は、ドクターブレード１１の根元付近の版胴１側に接する下側支持板１３と、先端がドクターブレードの先端と下側支持板の先端との間にあってドクターブレードの根元付近の反対側に接する上側支持板１２とを備え、さらに上側支持板にドクターブレードと上側支持板の隙間の変位を検出するための変位検出手段１５ａ、１５ｂを取り付ける。変位検出手段は、複数個でドクターホルダーの幅方向に左右均等に振り分けて配置する。変位検出手段は非接触型の渦電流変位センサーとする。前記ドクターホルダーを使用し、変位検出手段の検知出力に基づきドクターブレードによるインキ掻き落とし状態の左右のバランスを調整する。【選択図】　　　　図１
2004066775.tif 000002
【特許請求の範囲】
【請求項１】
版胴側にあって保持すべきドクターブレードの根元付近に当接する下側支持板と、
先端が前記ドクターブレードの先端と前記下側支持板の先端との間にあって根元側が前記ドクターブレードの根元付近の版胴とは反対側に当接する上側支持板と、
前記ドクターブレードと前記上側支持板の隙間の変位を検出するために、前記下側支持板の先端位置より先端側に配置され前記上側支持板に取り付けられる変位検出手段と、
を含むドクターホルダー。
【請求項２】
請求項１に記載のドクターホルダーにおいて、
前記変位検出手段は、複数個を前記ドクターホルダーの幅方向に左右均等に振り分けて配置すること
を特徴とするドクターホルダー。
【請求項３】
請求項１又は請求項２のいずれかに記載のドクターホルダーにおいて、
前記変位検出手段は、非接触型で渦電流の変化を検出して変位量を検出するセンサーであること
を特徴とするドクターホルダー。
【請求項４】
請求項２又は請求項３に記載されたドクターホルダーを使用し、
複数の前記変位検出手段の検知出力に基づいて、前記ドクターブレードによるインキ掻き落とし状態の左右のバランスを調整すること
を特徴とするドクタリングの左右バランス調整方法。
【発明の詳細な説明】
【０００１】
【発明の属する技術分野】
本発明は、グラビア印刷及びグラビアコーティング、その他で使用されるドクターホルダーと、ドクタリングの左右バランス調整方法に関するものである。
【０００２】
【従来の技術】
従来の凹版印刷などにおいて、ドクターで版胴表面上のインクを掻き落とすドクタリングの状態の良否を判断する方法は、その都度、セットされているドクターを版面から離脱させる操作を繰り返しながら、ドクタリング後の版面状態（ドクターの掻き具合）を目視で行っていた。
その結果に基づく左右の不揃いについては、ドクターホルダーの前後方向の位置を、左右それぞれについて調整している。
【０００３】
図７の（Ａ）は、ドクターブレードの版面に対する左右の当たり具合を目視結果に基づき調整する方法を示す説明図（正面図）である。
図７の（Ｂ）は、（Ａ）の目視結果に基づきドクターブレードを版面に対して前後方向に位置調整する方法を示す説明図（左側面図）である。
ドクターブレード１１を支持するドクターホルダー２０の調整は、図７に示すように、版胴１の絵柄部（版面）１ａの掻き取り具合を目視しながら、左右の調整ハンドル１７ａ又は１７ｂを、それぞれ図７の（Ｂ）に示すように適当に回し、ドクター架台１６に対する相対的なドクターブレード１１の左右の前後位置を調整する。
【０００４】
一方、目視によらないで、ドクタリングの状態（刃先に掛る曲げ荷重、接触角度等）を検出する手段としては、ドクターブレード１１自体の先端部の左右に歪みゲージを貼り、ドクタリング時の刃先の歪み量を検出し、刃先の曲げ荷重や版面に対する接触角度を算出する方法がある。
【０００５】
図８は、その方法の一例として使用されるドクター装置の関係部分を示す説明図である。
図８において、１８ａ、１８ｂは、ドクターの刃（ドクターブレード）１１に貼付された歪みゲージである。
これらの歪みゲージ１８ａ、１８ｂのそれぞれによって検出される歪み量εと刃先の曲げ荷重Ｐとの間には、歪みゲージの刃の先端からの距離をＬ、ドクターブレードの幅をｂ、ドクターブレードの厚さをｈとすると、Ｐ∽〔（Ｅｂｈ２　）／Ｌ〕εの関係がある。
したがって、左右の歪みゲージ１８ａと１８ｂの出力の検出結果からドクターブレードの前後位置の左右の調節をすることができる。
【０００６】
【発明が解決しようとする課題】
しかし、上述した目視でドクタリングの左右バランスを調整する方法では、結果の良否が作業者の技量に依存するので、左右バランスの精度不良が起こりやすい。
左右バランス不良の状態で、印刷やコーティングを行うと、印刷面やコーティング面の左右の濃度差や膜厚差などの品質差が生じてしまう。
また、左右バランスが悪い状態で運転を開始すると、ドクター磨耗の進み方が左右で違うため、運転途中のドクタリングの左右状態の不均等さも変化し、経時的に印刷品質の程度も左右で変化し差を生じてしまう。
更に、左右不均等なドクタリング状態で運転を続けると、版胴表面の磨耗量が左右不均等になり、運転途中に左右の品質差を引き起こす原因ともなる。
【０００７】
一方、ドクターブレードに歪みゲージを取り付ける方法では、ドクターブレードは消耗品であるため交換を必要とするが、その交換のたびに、新たなドクターブレードへの歪みゲージを取り付ける作業が増えるので、ドクター交換時に多大な作業時間を要するという欠点がある。
【０００８】
本発明の課題は、ドクタリングに起因する印刷物左右の濃度差やコーティング時の膜厚差などの品質不良の発生を防ぐことのできるドクターホルダーとドクタリングの左右バランス調整方法を提供することである。
【０００９】
【課題を解決するための手段】
前記課題を解決するために、請求項１の発明は、版胴（１）側にあって保持すべきドクターブレード（１１）の根元付近に当接する下側支持板（１３）と、先端が前記ドクターブレード（１１）の先端と前記下側支持板（１３）の先端との間にあって根元側が前記ドクターブレード（１１）の根元付近の版胴（１）とは反対側に当接する上側支持板（１２）と、前記ドクターブレード（１１）と前記上側支持板（１２）の隙間の変位を検出するために、前記下側支持板の先端より先端側に配置され前記上側支持板（１２）に取り付けられる変位検出手段（１５ａ、１５ｂ）と、を含むドクターホルダー（１０）である。
【００１０】
請求項２の発明は、請求項１に記載のドクターホルダー（１０）において、前記変位検出手段は、複数個（１５ａ、１５ｂ）を前記ドクターホルダー（１０）の幅方向に左右均等に振り分けて配置することを特徴とするドクターホルダー（１０）である。
【００１１】
請求項３の発明は、請求項１又は請求項２のいずれかに記載のドクターホルダー（１０）において、前記変位検出手段（１５ａ、１５ｂ）は、非接触型で渦電流の変化を検出して変位量を検出するセンサーであることを特徴とするドクターホルダー（１０）である。
【００１２】
請求項４の発明は、請求項２又は請求項３に記載されたドクターホルダー（１０）を使用し、複数の前記変位検出手段（１５ａ、１５ｂ）の検知出力に基づいて、前記ドクターブレード（１１）によるインキ掻き落とし状態の左右のバランスを調整することを特徴とするドクタリングの左右バランス調整方法である。
【００１３】
【発明の実施の形態】
以下、図面等を参照して、本発明のドクターホルダーとドクタリングの左右バランス調整方法の実施形態について、さらに詳しく説明する。
図１及び図２は、本発明によるドクターホルダーの実施形態を示す断面図である。各図は、それぞれドクターホルダーの長手方向に直角で、かつ、ドクターホルダーに取り付けられた変位検出手段である変位センサーのうちの１つを含む平面で切断してある。ただし、変位センサーは切断していない。
【００１４】
ドクターホルダー１０の本体は、ドクターブレード１１を支持するためのものであり、上側支持板１２と下側支持板１３によって構成される。ドクターブレード１１は、鋼板で作製してあるので、先端が版胴１に押しつけられると、撓みによってある程度変形する。
図１は、ドクターブレード１１が版胴１の版面１ａに接触して撓み、変位センサー１５ａ及び１５ｂと、ドクターブレード１１との隙間が変化する状態を示している。
図２は、ドクターブレード１１が版胴１に接触していない状態である。
【００１５】
下側支持板１３は、ドクターブレード１１の下面の根元側を保持する。上側支持板１２は、下側支持板１３より長く、先端がドクターブレード１１の先端と下側支持板１３の先端との間にあって、ドクターブレード１１の上面の根元側を保持する。
ドクターブレード１１は、上側支持板１２と下側支持板１３の間に挿入され、ボルト１４ａ、１４ｂなどによって、上側支持板１２を下側支持板１３に締めつけることによって、ドクターホルダー１０に固定される。
【００１６】
位置決めピン１９ａ（又は１９ｂ）は、ドクターホルダー１０の先端からのドクターブレード１１の後端位置を規制するためのピンである。この位置決めピン１９ａ、１９ｂは、当て止め用としてドクターブレード１１の出し量を左右均等にセティングするためのものである。
【００１７】
変位センサー１５ａ及び１５ｂは、変位センサーの取付け位置における、上側支持板１２とドクターブレード１１の間の、それぞれの隙間の変化を検出するためのものである。この変位センサー１５ａ、１５ｂは、ドクターブレード１１の交換作業性の面から、非接触式で、かつ、ドクターブレード１１に付着するおそれのある油や水等の汚れがあっても出力値に誤差の生じ難いもの、例えば、渦電流式変位センサーが好ましい。
【００１８】
図３及び図４は、図１のドクターホルダー１０を使用したドクタリングの左右バランス調整方法を説明するための説明図である。
図３は、上記調整を行うためのシステムを示している。
図４は、ドクターブレード１２を版胴１の版面１ａに対して前後方向に位置調整する方法を示す説明図（左側面図）である。
【００１９】
変位センサー１５ａ、１５ｂは、２個以上の配置が必要であり、本実施形態では、上側支持板１２の長手方向に沿って、一対の変位センサー１５ａ、１５ｂが、左右均等に振り分けるようにして取り付けられている。これらの変位センサー１５ａ、１５ｂの前後方向の取付け位置は、上側支持板１２の先端と下側支持板１３の先端との中間にある。
【００２０】
変位センサー１５ａ、１５ｂの検出結果は、変位量表示器２５ａ、２５ｂにそれぞれ表示される。変位センサー１５ａ、１５ｂの出力は、左右個別に表示させてもよいが、変位センサー１５ａ、１５ｂからの左右の出力信号を電気的に処理し、左右バランスの程度を片側がもう一方に対して何パーセント大きい、又は、小さい等として表示してもよい。
【００２１】
ドクターブレード１１を支持するドクターホルダー１０の調整は、変位量表示器２５ａ又は２５ｂ、又は、その両方を見ながら、左右の調整ハンドル１７ａ又は１７ｂを、それぞれ図４に示すように適当に回し、ドクター架台１６に対する相対的なドクターブレード１１の左右の前後位置を調整して行う。以上の調整は、印刷開始前、印刷開始直後などに行えばよい。
【００２２】
（変形形態）
以上説明した実施形態に限定されることなく、種々の変形や変更が可能であって、それらも本発明の均等の範囲内である。
たとえば、ホルダー本体の上側支持板と下側支持板のそれぞれの根元の部分が一体化されていてもよい。また、上側支持板、下側支持板それぞれの細部の構造、形状なども、図示のものと異なっていてもよい。
【００２３】
【実施例】
以下、具体的な実施例を挙げてさらに詳しく説明する。
ドクターホルダーは、図１の構成とし、ドクターブレードの左右の前後位置調整は、図３のシステムで試行したところ、刃先の曲げ荷重（刃先の歪み量）と刃先のホルダーに設置した変位センサー出力には、ほぼ直線的な対応関係があり、ホルダーに設置した変位センサーの出力によって、ドクタリングのそれぞれの強さと左右バランスを明確に知ることができた。
したがって、左右の変位センサー出力の表示値を目安に、その値が左右で均等になるように（左右の出力差が１％未満が好ましい）、印刷機やコーターのドクターホルダー左右の前後調整ハンドル１７ａ、１７ｂを回すことによって、ドクターホルダー位置を容易、かつ迅速に調整することができた。
【００２４】
図５において、版面１ａに対するドクターブレード１１の先端の加圧力Ｆ、刃先曲げ荷重Ｐ、刃先歪み量ε、渦流変位センサー１５ａ（１５ｂ）とドクターブレード１１間の距離ｙの間には、Ｆ∝Ｐ∝ε∝ｙの関係がある。Ｆ∝Ｐ∝εは、材料力学的な一般論として認められており、ε∝ｙについては、図６に示す説明図（曲線図）により確認できる。
図６の曲線Ｃは、横軸を刃先の歪み量、縦軸をホルダー内部の刃の変位量として刃先歪み量εと距離ｙの相関関係を示し、上記条件のもとで、実測した結果に基づき作成したものである。
曲線Ｃのうちで、Ｕの部分が実際に使用される範囲である。
【００２５】
【発明の効果】
以上詳しく説明したように、本発明によれば、以下のような効果がある。
（１）ドクターブレードと上側支持板の隙間の変位を変位検出手段で検出するので、ドクターブレードの交換が容易であるにかかわらず、高い精度でドクタリングの左右バランス調整とその管理が行える。
【００２６】
（２）変位検出手段は、複数個をドクターホルダーの幅方向に左右均等に振り分けて配置してあるので、ドクタリングの左右バランス調整とその管理が、さらに確実に実現できる。
【００２７】
（３）変位検出手段を非接触型で渦電流の変化を検出して変位量を検出するセンサーとすることにより、非接触型であるために、ドクターブレードの交換が容易である。
また、渦電流式変位センサーで検出するために、ドクターブレードに付着する恐れのある油、水などの汚れがあっても、出力値に誤差が生じにくいので、より高い精度でドクタリングの左右バランス調整が行えるという効果がある。
【００２８】
（４）上記ドクターホルダーを使用し、複数の変位検出手段の検知出力に基づいてドクターブレードによるインキ掻き落とし状態の左右のバランスを調整することにより、簡単に誰でも容易に高い精度でドクタリングの左右バランス調整とその管理が行える。
【図面の簡単な説明】
【図１】本発明の実施形態のよるドクターホルダーを、ドクターブレードが版胴に接する状態で示す断面図である。
【図２】図１のドクターホルダーを、ドクターブレードが版胴に接しない状態で示す断面図である。
【図３】本発明の実施形態によるドクタリングの左右バランス調整を行うシステムを示す説明図（系統図）である。
【図４】本発明の実施形態によるドクターブレードの位置調整をする方法を示す説明図（左側面図）である。
【図５】本発明の実施形態によるドクターブレードの先端の加圧力と変位センサー出力の関係を示す説明図（断面図）である。
【図６】本発明の実施例による刃先歪み量とホルダー上側支持板とドクターブレード間の距離との相関関係を示す説明図（曲線図）である。
【図７】従来のドクタリングのシステムを示す説明図である。
【図８】従来のドクター装置の歪み検出関係部分を示す説明図である。
【符号の説明】
１　版胴
１０　ドクターホルダー
１１　ドクターブレード
１２　上側支持板
１３　下側支持板
１５ａ、１５ｂ　変位センサー
１７ａ、１７ｂ　調整ハンドル
１９ａ、１９ｂ　位置決めピン
２５ａ、２５ｂ　変位量表示器
【図１】
2004066775.tif 000003
【図２】
2004066775.tif 000004
【図３】
2004066775.tif 000005
【図４】
2004066775.tif 000006
【図５】
2004066775.tif 000007
【図６】
2004066775.tif 000008
【図７】
2004066775.tif 000009
【図８】
2004066775.tif 000010